(57)【要約】【課題】ゴミ袋や土のう袋の開口を広げて使用し、使用後の保持具を極めて嵩低く折り畳んで格納するので、格納しやすくした保持具を提供することにある。【解決手段】２本１組の杆材１で、この両杆材の重なる中途を回動自在に連結する支点部材２とでＸ状の開閉部材Ａを形成し、この少なくとも三組の開閉部材を円周上に垂直に立てて、上記開閉部材の隣接杆材の上端同士及び下端同士を連結手段３により折り畳み可能な開閉自在に連結した構成を採用するゴミ袋などの袋保持具。【選択図】図４
0003177543.tif 000002
【実用新案登録請求の範囲】
【請求項１】
２本１組の杆材で、この両杆材の重なる中途を回動自在に連結する支点部材とでＸ状の開閉部材を形成し、この少なくとも三組の開閉部材を円周上に垂直に立てて、上記開閉部材の隣接杆材の上端同士及び下端同士を連結手段により折り畳み可能な開閉自在に連結したことを特徴とするゴミ袋などの袋保持具。
【考案の詳細な説明】
【技術分野】
【０００１】
この考案は、合成樹脂製などのゴミ袋の口を開けた状態で保持し、また土のうを作る際の袋の開口を保持する保持具に関する。
【背景技術】
【０００２】
ポリ袋のような合成樹脂製のゴミ袋にゴミを投入するに際し、ゴミ袋の口を大きく開けた状態に保つことが必要になる。また土のう用袋も同様である。
【０００３】
しかしながら、薄くて柔らかく、剛性のない口を開くには、両手が必要になるので、口を開いた人によるゴミの投入作業ができない。
【０００４】
そこで、ゴミ袋の口を大きく開けた状態で保持して上述の不都合をなくすることができるようにしたゴミ袋保持具がある（例えば、特許文献１参照）。
【先行技術文献】
【特許文献】
【０００５】
【特許文献１】実用新案登録第３０４９３１４号公報
【考案の概要】
【考案が解決しようとする課題】
【０００６】
ところで、特許文献１のゴミ袋保持具は、最低３本以上のパイプ支柱を、その下方部を水平に折り曲げて相互を（連接部９により支柱１、２、３、４を連結させ）連結して竜骨状の構造としてある。
【０００７】
このような構造によると、不使用にともなう格納や携行に際し、円周上に垂直に立てて並べた各支柱を中心方向に集合するように折り畳むことができないので、嵩低くすることができず、格納や携行に際し嵩低くすることができない問題があった。
【０００８】
特に、支柱の対向間隔が一定のため、ゴミ袋の開口の直径が小さい場合、支柱の上端に開口縁を支持（引っ掛ける）させることができない。
【０００９】
このため、ゴミ袋の開口の小さいものは、使用することができず、ゴミ袋に制約を受ける問題も発生した。
そこで、この考案は、上述の問題を解消したゴミ袋などの袋保持具を提供することにある。
【課題を解決するための手段】
【００１０】
上記の課題を解決するために、この考案は、２本１組の杆材で、この両杆材の重なる中途を回動自在に連結する支点部材とでＸ状の開閉部材を形成し、この少なくとも三組の開閉部材を円周上に垂直に立てて、上記開閉部材の隣接杆材の上端同士及び下端同士を連結手段により折り畳み可能な開閉自在に連結した構成を採用する。
構成を採用する。
【考案の効果】
【００１１】
以上のように、この考案のゴミ袋などの袋保持具によれば、杆材の上端同士を連結する二つの連結手段を把持し離反方向に移動させることで、開閉部材の材料がＸ状に開くので、円周上に存在する各開閉部材の内側に上方からゴミ袋を押し込み、押し込み終了後にゴミ袋の開口を折り返して、折り返し部分を材料の上端同士の連結手段部分に引っ掛けてゴミ袋の上縁を保持することができる。
【００１２】
このため、ゴミ袋の上縁開口を開放させた状態になり、ゴミ袋にゴミを何ら支障なく投入することができる。
【００１３】
ゴミ袋は、上方に抜き去って回収する。
ゴミ袋の回収後にあっては、杆材の上端同士の連結手段部分を接近方向に移動させることで、開閉部材の杆材がＸ状から閉じて二条の平行状態に閉じ、閉じるにともない、各開閉部材を自動的に接近方向に強制的に移動させながら、各杆材を集合させる。
【００１４】
このため、極めて嵩低く折り畳むことができて、携行時の嵩張りがないすぐれた利点がある。勿論、土のうであれば袋に土砂を詰めたのち、袋を抜き去る。
【図面の簡単な説明】
【００１５】
【図１】この考案のゴミ袋などの袋保持具を構成する開閉部材の斜視図である。
【図２】杆材の中途支点部材を示す拡大側面図である。
【図３】開閉部材を用いて形成したゴミ袋などの袋保持具の斜視図である。
【図４】ゴミ袋の保持を示す斜視図である。
【図５】ゴミ袋保持具の折り畳み途中の斜視図である。
【図６】同上の完全な折り畳み状態を示す正面図である。
【図７】連結手段の他の例を示す斜視図である。
【図８】同上の要部を示す縦断拡大正面図である。
【図９】他の連結手段のチューブを示す斜視図である。
【図１０】同上のチューブを使用した連結手段の一部切欠正面図である。
【図１１】チューブの一部切欠拡大側面図である。
【考案を実施するための形態】
【００１６】
この考案の実施の形態を添付図面に基づいて説明する。
図１及び図２に示すＡは、脚用として用いる開閉部材である。
【００１７】
上述の開閉部材Ａは、２本１組の杆材１、１と、この両杆材１、１の上下端間の途中を交差させて、この交差部分を開閉自在に連結する支点部材２とで構成する。
【００１８】
上記の支点部材２は、図示の場合、両端にかしめ頭部を有するピンを杆材１、１に貫通させたが、針金などを挿通させて、針金の両端を集めて屈曲して止めてもよい。要するに杆材１、１が、二条の集合折り畳みからＸ状に開く支点となればよい。
【００１９】
そして杆材１も、図示のパイプに限定されず実の軸材であってもよい。
勿論、材質も合成樹脂やアルミなどで、携行に容易な軽量なものを使用するとよい。
【００２０】
そして土のう用に使用する場合、充填する土砂の重量に耐える強度のある金属製の軸材を用いるとよい。
【００２１】
そして、支点部材２の途中の位置も、杆材１の上下端間の二等分の位置や、二等分よりもやや下位或いは上位など適宜選定すればよい。
【００２２】
上記開閉部材Ａの少なくとも三組を円周上に垂直に配置して立て、この開閉部材Ａの隣接杆材１の上端同士及び下端同士を連結手段３により折り畳み可能な開閉自在に連結する。
【００２３】
上記の連結手段３は、杆材１の端同士の交差する部分を上述の支点部材２と同様の方式で開閉自在に連結したが、限定されず、例えば図７、図８に示すように、軟質な合成樹脂やゴム製などの短い軸材１１の両端部分をパイプ製の杆材１の両端内に押し込んで、軸材１１の屈曲により連結手段３としたり、或いは、図９、図１０、図１１に示すように、軟質な合成樹脂やゴム製などの短いチューブ１２の両端部分をパイプや軸材の杆材１の両端部分の外側に嵌装して（接着することもある）、チューブ１２の中間部分の扁平な屈曲を利用して、杆材１を開閉自在になる連結とすることもある。
【００２４】
勿論、上記に限定されず、杆材１の両端に被せる対のキャップを屈曲材（紐錠のものな）で連結したもの（図示省略）を使用することもできる。
【００２５】
なお、開閉部材Ａの数は、図示の三組に限定されず、口径の大きいゴミ袋などの袋に応じて三組以上使用することもある。
【００２６】
上記のように構成すると、杆材１の上端同士を連結する部分を把持して離反方向に移動させることで、開閉部材Ａの杆材１が図５の状態から図３に示すようにＸ状に開く、そして円周上に存在する開閉部材Ａの各内側に底を下にしたゴミ袋Ｂを押し下げたのち、図４に示すようにゴミ袋Ｂの折り返した開口縁を支点部材３の部分に引っ掛け保持する。
【００２７】
すると、ゴミ袋Ｂの上縁開口を開放させた状態となり、ゴミを何ら支障なく投入することができる。
【００２８】
ゴミ袋Ｂを上方に抜き去って回収する。
回収後にあっては、杆材１の連結手段３を接近させると、図５に示すように各開閉部材Ａを互いに接近方向に移動させ、図６に示すように嵩低く折り畳むことができる。
【００２９】
なお、図示省略してあるが、各杆材１の支点部分２から下方を外方に広がるように湾曲させておくと、開けた際の杆材１の中途から下位迄の間の広がり内径が大きくなるので、ゴミ袋Ｂの押し込み作業などが容易になる。
勿論、土のうを作成する場合、土のう袋の開口縁を杆材１の上端に引っ掛けて支持するとよい。
【符号の説明】
【００３０】
Ａ  開閉部材
Ｂ  ゴミ袋
１  杆材
２  支点部材
３  連結手段
１１  軸材
１２  チューブ
【図１】
0003177543.tif 000003
【図２】
0003177543.tif 000004
【図３】
0003177543.tif 000005
【図４】
0003177543.tif 000006
【図５】
0003177543.tif 000007
【図６】
0003177543.tif 000008
【図７】
0003177543.tif 000009
【図８】
0003177543.tif 000010
【図９】
0003177543.tif 000011
【図１０】
0003177543.tif 000012
【図１１】
0003177543.tif 000013